(57)【要約】【課題】集塵袋を容易に取り出すことができる電気掃除機を提供すること。【解決手段】掃除機本体１は電動送風機２を内蔵し、その前方に配設した集塵室３で構成され、集塵室３内には塵埃を捕集する集塵袋５を設け、押出し用スプリング１１を集塵袋５下面側に設け、他端１５には押出板１６を設けて集塵袋３の下面及び側面に当接させた。これにより、集塵袋５下面に、集塵袋５を集塵室３の開口部１２方向に附勢し押し出すための押出し用スプリング１１を設けたので、塵埃が溜まって一番重量が大きくなる集塵袋５が、容易に上方に突出し、取り出し易くできる。【選択図】図１
2006158570.tif 000002
【特許請求の範囲】
【請求項１】
吸引風を発する電動送風機と、前記電動送風機が吸引した塵埃を捕集する集塵袋と、開口部を有し前記集塵袋を収納する集塵室と、前記集塵室の開口部を覆う開閉自在な集塵室蓋と、前記集塵室の内側に前記集塵袋下面と対向して設けられ、前記集塵袋を前記開口部方向に附勢する押出手段とを備えた電気掃除機。
【請求項２】
押出手段を押出用スプリングとし、集塵室の内側に前記集塵室の開口部と対向して前記押出用スプリングの一端を保持する保持部を設け、前記押出用スプリングの他端を前記集塵袋の下面に当接させた請求項１記載の電気掃除機。
【請求項３】
押出用スプリングの一端に押出板を設け、前記押出板を集塵袋下面に当接させた請求項２記載の電気掃除機。
【請求項４】
押出板を通気性のある材質で形成した請求項３記載の電気掃除機。
【発明の詳細な説明】
【技術分野】
【０００１】
本発明は一般家庭で使用される電気掃除機に関するものである。
【背景技術】
【０００２】
従来の電気掃除機を、図２、３を用いて説明する。
【０００３】
掃除機本体１は電動送風機２を内蔵し、その前方に配設した集塵室３で構成され、掃除機本体１上部には、集塵室３を覆い回動自在に軸支された集塵室蓋４が設けられている。集塵室３内には塵埃を捕集する集塵袋５を設け、集塵袋５に備えた口板６を集塵室３内の両側に備えたガイド７により本体１の前面側に備えた吸引口８に対向して収容し、口板６を本体前面側仕切壁９に備えた保持具１０により着脱自在に保持している。口板６を集塵室３後方に押出す押出手段１８を前面側仕切壁９に設けるとともに、口板６を上方に移動する移動手段１９をガイド７に対応する集塵室３の底部に設け、集塵室蓋４を開くとともに保持具１７で保持した口板６を開放し、口板６を押出手段１８と移動手段１９とにより集塵室３の上方に傾斜して突出させている(例えば、特許文献１参照)。
【特許文献１】特許第３１５４３１６号公報
【発明の開示】
【発明が解決しようとする課題】
【０００４】
前記従来の構成では、口板部を上方に移動する移動手段にて、集塵袋を上方に突出させようとしているが、集塵袋に塵埃が溜まると、口板部より集塵袋側の方が重量が大きくなるため、口板部のみを移動手段にて移動させようとしても集塵袋側を上方に突出させることが困難であるという課題を有していた。
【０００５】
本発明は上記課題を解決するもので、集塵袋を容易に取り出すことができる電気掃除機を提供することを目的とする。
【課題を解決するための手段】
【０００６】
前記記従来の課題を解決するために本発明の電気掃除機は、吸引風を発する電動送風機と、前記電動送風機が吸引した塵埃を捕集する集塵袋と、開口部を有し前記集塵袋を収納する集塵室と、前記集塵室の開口部を覆う開閉自在な集塵室蓋と、前記集塵室の内側に前記集塵袋下面と対向して設けられ、前記集塵袋を前記開口部方向に附勢する押出手段とを備えたので、塵埃が溜まって重量が大きくなる集塵袋部を附勢して押出すことにより、容易に集塵袋が上方に突出し、取り出しやすくできる。
【発明の効果】
【０００７】
本発明の電気掃除機は、集塵袋を容易に取り出すことができる電気掃除機を提供できる。
【発明を実施するための最良の形態】
【０００８】
第１の発明は、吸引風を発する電動送風機と、前記電動送風機が吸引した塵埃を捕集する集塵袋と、開口部を有し前記集塵袋を収納する集塵室と、前記集塵室の開口部を覆う開閉自在な集塵室蓋と、前記集塵室の内側に前記集塵袋下面と対向して設けられ、前記集塵袋を前記開口部方向に附勢する押出手段とを備えたので、塵埃が溜まって一番重量が大きくなる集塵袋部を附勢しているため押出し易くなり、容易に集塵袋が上方に突出し、取り出し易くできる。
【０００９】
第２の発明は、押出手段を押出し用スプリングとし、集塵室の内側に前記集塵室の開口部と対向して前記押出し用スプリングの一端を保持する保持部を設け、前記押出し用スプリングの他端を前記集塵袋の下面に当接させたため、集塵室蓋を開くと同時に容易に集塵袋が上方に突出し、取り出しやすくできる。
【００１０】
第３の発明は、押出し用スプリングの一端に押出板を設け、前記押出板を前記集塵袋下面に当接させたので、より安定した状態で集塵袋を上方へ押出すことができる。
【００１１】
第４の発明は、押出板を通気性のある材質で形成したので、集塵袋が膨らんでも、集塵室内壁に密着することがなく、吸気通路が確保されるため、風量低下が少なくなるという効果も得られる。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１を用いて説明する。
【００１４】
掃除機本体１は電動送風機２を内蔵し、その前方に配設した集塵室３で構成され、掃除機本体１上部には、集塵室３を覆い回動自在に軸支された集塵室蓋４が設けられている。集塵室３内には塵埃を捕集する集塵袋５を設け、集塵袋５に備えた口板６を本体の前面側に備えた吸引口８に対向して収容し、口板６を本体前面側仕切壁９に備えた保持具１０により着脱自在に保持している。少なくとも一個以上の押出し用スプリング１１を集塵袋５下面側に設け、集塵室３の開口部１２と対向する位置に押出し用スプリング１１を保持する保持部１３を集塵室３と一体に設けて押出し用スプリング１１の一端１４を保持し、他端１５には押出板１６を設けて集塵袋３の下面及び側面に当接させている。押出し用スプリング１１は一端１４の巻き径に比べて他端１５を大きくしている。保持具１０は集塵袋５が集塵室３に装着されていないときは、保持具１０が集塵室蓋４の一部と干渉して集塵室蓋４が閉まらない方向に回動し、装着されると干渉しないで集塵室蓋４が閉まる方向に回動するよう設けてある。また、押出板１６は格子状に形成されている。
【００１５】
以上のように構成された電気掃除機について、以下その動作、作用を説明する。
【００１６】
集塵袋５下面に、集塵袋５を集塵室３の開口部１２方向に押し出す押出し用スプリング１１を設けたので、塵埃が溜まって一番重量が大きくなる集塵袋部を押出しており、集塵室蓋４を開けると、容易に集塵袋５が上方に突出し、取り出しやすくできる。また、押出し用スプリング１１は一端１４の巻き径に比べて他端１５を大きくするとともに、他端１５には押出板１６を設けているため、集塵袋５下面への接触面積が大きく安定して集塵袋５を上方に押出すことができる。押出板１６は集塵袋５の外周側面及び下面に当接しており、また、格子状に形成されているため、集塵袋５に塵埃が溜まって広がっても集塵室３内壁に密着することがなく、摩擦抵抗が少ないため容易に上方に押出される。さらに、押出板１６は格子状に形成されているため、吸気通路が格子部分で確保され、風量低下を軽減することができる。また、口板６を着脱自在に保持する保持具１０を有するため、集塵室蓋４を開けたときに、使用者が予期せず集塵袋５が上方へ突出することを防止し、保持具１０を使用者が解除することで、集塵袋５を上方へ突出させ取り出しやすくできる。さらに、保持具１０は集塵袋５の誤装着防止も行うことができる。
【産業上の利用可能性】
【００１７】
以上のように、本発明にかかる電気掃除機は、集塵袋の取り出しが極めて容易となるので、集塵袋を備えた電気掃除機などに極めて有用なものである。
【図面の簡単な説明】
【００１８】
【図１】本発明の実施の形態１における電気掃除機の中央断面図
【図２】従来の電気掃除機の要部断面図
【図３】従来の電気掃除機の集塵部蓋が開いた状態を示す要部断面図
【符号の説明】
【００１９】
１  掃除機本体
２  電動送風機
３  集塵室
４  集塵室蓋
５  集塵袋
１１  押出し用スプリング
１６  押出板
【図１】
2006158570.tif 000003
【図２】
2006158570.tif 000004
【図３】
2006158570.tif 000005